【手続補正書】
【提出日】平成22年9月8日(2010.9.8)
【手続補正１】
【補正対象書類名】特許請求の範囲
【補正対象項目名】請求項１３
【補正方法】変更
【補正の内容】
【請求項１３】
前記人工歯茎と歯根及び位置決め杭は、義歯及び人工歯肉を含むことを特徴とする請求項１０に記載の人工歯茎及び歯根。
【手続補正２】
【補正対象書類名】特許請求の範囲
【補正対象項目名】請求項１９
【補正方法】変更
【補正の内容】
【請求項１９】
前記人工歯茎と歯根及び位置決め杭は、更に義歯及び人工歯肉を含むことを特徴とする請求項１６に記載の人工歯茎及び歯根。
【手続補正３】
【補正対象書類名】特許請求の範囲
【補正対象項目名】請求項２５
【補正方法】変更
【補正の内容】
【請求項２５】
前記人工歯茎と歯根及び位置決め杭は、更に義歯及び人工歯肉を含むことを特徴とする請求項２２に記載の人工歯茎及び歯根。
【手続補正４】
【補正対象書類名】明細書
【補正対象項目名】０００１
【補正方法】変更
【補正の内容】
【０００１】
本案発明は、義歯の構造、特に咬合力を平均的に分散伝導し、且つ歯槽骨表面全体によって前記咬合力を支えることの出来る一体成型構造として、歯槽骨の皮質骨の上に固定される人工歯茎及び歯根に関するものである。
【手続補正５】
【補正対象書類名】明細書
【補正対象項目名】０００８
【補正方法】変更
【補正の内容】
【０００８】
又、アメリカ特許第2836890号に開示されたものは、全体の入れ歯セットを歯槽骨表面に固定されているが、その装置の底部には歯槽骨表面と凹凸対応して密合する設計がなく、咀嚼するときの咬合力が歯槽骨表面の少数突起した点によって支えられる為、突起した歯槽骨が毀損又は萎縮してその装置が緩み脱落して失敗する恐れがある。しかも、前記装置は、一体成型した義歯負荷構造ではなく、ネジによって義歯を前記装置に固定したもので、構造が脆弱で力の伝導を延続させることが出来ず、噛み合せる時の圧力・捻り力及び噛み切り力でネジが脱落し易くなる。最も大事なことは、前記構造には上部が狭く下部が広い支柱体がなく、又中間が厚く両側が段々薄くなるような担体によって、咬合力を平均に伝導分散する力学的構造設計などもないので、力を均等に分散伝導することが出来ず、力の伝導不良と咬合力の不均等を招くという事である。
【手続補正６】
【補正対象書類名】明細書
【補正対象項目名】００１０
【補正方法】変更
【補正の内容】
【００１０】
最も大事な事は、上述四つの先行案の底部には、歯槽骨表面に凹凸対応して密合出来る設計がなく、咬合力は全面的且つ平均的に歯槽骨表面の全ての点に伝導されず、歯槽骨表面に突起した少数の点によって支えられているため、咬合力が不均等になり、突起した歯槽骨が毀損或いは萎縮し、更に前記装置が緩んで脱落し、失敗することになるという事である。総括して言うと、四者はいずれも「筏式基盤」(Ｒａｆｔ  Ｆｏｕｎｄａｔｉｏｎ)の力学的支え原理を採用したものではない。これは、以前は精密な歯槽骨表面模型を取得する技術が難しく、歯槽骨表面に凹凸対応し完全に密合してその上に固定できる製品を作ることが難しかったためであり、しかし現在では、３Ｄ撮影及びコンピュータ・エイド・デザイン(ＣＡＤ)技術が成熟し、更にコンピュータ数値制御(CNC)カッティング及び射出成型などの技術が加わり、歯槽骨表面に凹凸対応し完全に密合出来る精密製品をつくることは難しくなく、歯槽骨表面に跨って密合し、義歯のかみ合わせ力を前記一体成型された力学的伝導構造によって、全面的且つ均一的に歯槽骨の皮質骨上の全ての点に伝導し、完全に構造の堅固な歯槽骨皮質骨によって支えることはたいした問題ではない。
【手続補正７】
【補正対象書類名】明細書
【補正対象項目名】００１４
【補正方法】変更
【補正の内容】
【００１４】
上述目的を達成するため、本案発明では、頂面及び底面を有する構造を設計した。前記頂面及び底面は同じ方向に向かって突起することによって、前記人工歯茎の断面を中間が比較的厚く、両側が比較的薄い形状を形成し、更に前記人工歯茎の上に複数の歯根及び対応する義歯を設置し、このようにして、義歯で咀嚼するときの咬合力が、上が狭く下が幅広い歯根及び厚みが中間から両側へ次第に薄く延伸する人工歯茎を通じて、下方へ分散伝導し、元来は、人工歯根頂端の狭い面積によって支えられる咬合力を、拡張分散してより大きい面積で支えることになり、この構造は咬合力を分散伝導する力学的伝導構造である。
【手続補正８】
【補正対象書類名】明細書
【補正対象項目名】００１５
【補正方法】変更
【補正の内容】
【００１５】
又、前記構造の底面には、歯槽骨表面の形状に従って、歯槽骨表面の全ての点に凹凸対応して完全に密合出来る形状の構造を制作し、人工歯茎及び歯槽骨の間にいかなる隙間もないようにし、義歯の咬合力がこの凹凸対応して密合したつなぎ面を通じて、全面且つ平均的に前記構造の堅実な歯槽骨・皮質骨上の全ての点によって支えられるようにする、この構造は、建築学上の「筏式基盤」(Ｒａｆｔ  Ｆｏｕｎｄａｔｉｏｎ)の力学的支点の原理を有し、歯槽骨表面全体の全ての点によって平均的に義歯セット全体が伝導してくる咬合力を負担し、筏式基盤によって従来の杭式基盤にとって代わり、負担する力を平均化且つ安定化させる。この構造は、全面的且つ平均的に咬合力を支える力学的構造である。
【手続補正９】
【補正対象書類名】明細書
【補正対象項目名】００１６
【補正方法】変更
【補正の内容】
【００１６】
このほかに、構造がネジなど各種の部品で組み合わされ、部品の接合部位の構造的弱点によって構造が脆弱になり、且つ力の伝導が延続しないための伝導不良を避けるため、本案発明は、力の伝導及び支えとなる重要な部分を、結合して一体成型構造となし、支え力の大きい、咬合力が平均的で、堅固且つ安定した力を良好に伝導する一組の構造を設計した。
【手続補正１０】
【補正対象書類名】明細書
【補正対象項目名】００１８
【補正方法】変更
【補正の内容】
【００１８】
その一は、上が狭く下が幅広い歯根及び厚みが弧形の比較的厚い中間から両側へ向かって次第に薄く延伸した人工歯茎によって共同に組成され、咬合力を下方へ向けて拡張し平均的に分散伝導する特殊な力学的伝導構造である。
【手続補正１１】
【補正対象書類名】明細書
【補正対象項目名】００１９
【補正方法】変更
【補正の内容】
【００１９】
その二は、底部に歯槽骨表面の全ての点に凹凸対応して密合出来る構造を設けることによって、前記完全密合したつなぎ面によって、咬合力が全ての歯根に全面的且つ平均的に歯槽骨表面の全ての点に伝導され、筏式基盤によって杭式基盤にとって代わり、咬合力を負担する特殊な力学的支え構造である。
【手続補正１２】
【補正対象書類名】明細書
【補正対象項目名】００２１
【補正方法】変更
【補正の内容】
【００２１】
上述三つの特殊構造は、共通又は個別的に設計され、又、それぞれ一対の別の特殊構造を有する設計としても良い。本案発明に係る人工歯茎及び歯根は、単独、部分及び総入れ歯の構造を含む。  
【手続補正１３】
【補正対象書類名】明細書
【補正対象項目名】００２３
【補正方法】変更
【補正の内容】
【００２３】
【図１】第一実施例の斜視分解図である。
【図２】第一実施例の断面略図である。
【図３】第二実施例の断面略図である。
【図４】第三実施例の断面略図である。
【図５】第四実施例の断面略図である。
【図６】第五実施例の断面略図である。
【図７】本案発明に係る歯槽骨の別の断面略図である。
【図８】第六実施例の人工歯茎の底面図である。
【図９】第七実施例の断面略図である。
【図１０】第五及び第四実施例の人工歯茎の位置固定用ネジ固定杭の側面図である。
【手続補正１４】
【補正対象書類名】明細書
【補正対象項目名】００２５
【補正方法】変更
【補正の内容】
【００２５】
図１及び図２に示すように、本案発明の第一実施例には、人工歯茎１０と、歯床２０と、を含み、前記人工歯茎１０は、その断面を人体の上顎部又は下顎部の形状に合わせて新月状を呈し、同時にその厚みは弧形の比較的厚い中間から両側へ次第に薄く延伸している。前記人工歯茎１０には頂面１１及び底面１２があり、その頂面１１には複数の上が狭くて下が幅広い歯根１３が設けられ、その底面１２は、歯槽骨５表面の形状に従って制作され、完全に歯槽骨５の上に凹凸対応して密合され、両者間にはいかなる隙間もないようにすることによって、初めて義歯の負担する咬合力を前記力学的伝導構造によって、全面的且つ平均的に歯槽骨５の皮質骨(ｃｏｒｔｉｃａｌ  ｂｏｎｅ)４の上の全ての点に伝導することが出来、構造が堅固な歯槽骨５の皮質骨４によって支えることが出来る。前記人工歯茎１０の底面１２には、位置決め杭１４が設けられている。本案実施例において、前記位置決め杭表面には、横方向又は縦方向の凸紋１５が設けられ、且つ前記位置決め杭１４の末端は比較的広くなってロック部１６を形成している。前記位置決め杭１４は、ロック部を設けず、ループ状、点状又は歯状などその他摩擦力を持った構造に換えても良い。
【手続補正１５】
【補正対象書類名】明細書
【補正対象項目名】００２６
【補正方法】変更
【補正の内容】
【００２６】
前記歯床２０は、人工歯茎１０に合わせてアーチ状を呈し、前記歯床の頂面にはステーク２１が設けられ、ステーク２１の上には、義歯３０を設置でき、そして、義歯と義歯の間は人工歯肉３１によって連結し、外観が不自然に見えることを避けることが出来る。前記歯床底面には、複数の凹穴２２を設けることによって、前記人工歯茎１０の歯根１３に対応させることが出来る。臨床上では、歯床２０を設けず、義歯３０を直接人工歯根１３の上に取り付けても良い。
【手続補正１６】
【補正対象書類名】明細書
【補正対象項目名】００２７
【補正方法】変更
【補正の内容】
【００２７】
義歯３０及び人工歯肉３１は、歯床２０と結合して義歯セットを形成し、次に前記義歯セットを前記人工歯根１３に嵌め込む、嵌めるとき、前記義歯セット底部と前記人工歯茎１０の頂面の間に隙間が出来る、この隙間に歯肉６を収容する。必要な場合、図２に示すように、更にネジ２５を増設して横方向に前記義歯セット及び前記人工歯茎１０の歯根１３を穿通させ、その結合を強化することも出来る。
【手続補正１７】
【補正対象書類名】明細書
【補正対象項目名】００２９
【補正方法】変更
【補正の内容】
【００２９】
従来の固定することを重視する義歯構造とは異なり、本案発明に係る人工歯茎１０と歯槽骨５の表面が密合してその上にマウントされ、義歯が咬合力を上が狭く下が幅広い歯根１３及び中間が厚く両側が次第に薄く延伸された人工歯茎１０など力学的伝導構造によって下方へ拡張分散伝導し、且つ人工歯茎１０底面１２において採用された建築学上の「筏式基盤」の力学的支え原理によって、歯槽骨５の皮質骨４の表面全体で義歯から伝達されてくる力を平均的に支える。咬合力が平均且つ面積が広いので、安定性がよく且つ負荷力が比較的大きく、硬いものを咀嚼することが出来、更に義歯に正常な歯と同じような機能を持たせ、又歯槽骨５のおかげで長期的に均衡で大面積の圧力を負担しても萎縮しにくい。
【手続補正１８】
【補正対象書類名】明細書
【補正対象項目名】００３０
【補正方法】変更
【補正の内容】
【００３０】
人工歯茎１０は、構造の比較的堅固な歯槽骨５の皮質骨４の上にマウントされているので、例え歯槽骨が既に吸収萎縮して歯茎の幅が不足していても、或いは骨質が粗鬆であっても、依然人口歯茎１０及び歯根１３を入植した後、その上に義歯を作る事が出来る。しかも、本案発明に係る人工歯茎１０及び人工歯根１３の設置方式は従来の植歯とは異なるので、大幅に医療全体の時間を短縮することが出来、約一週間で、歯肉の癒合後に直ちに義歯セットを前記人工歯茎１０にマウントすることが出来、６ヶ月間も待つ必要がなくなる。
【手続補正１９】
【補正対象書類名】明細書
【補正対象項目名】００３１
【補正方法】変更
【補正の内容】
【００３１】
図３は、本案発明の第二実施例であり、主要構造は第一実施例と同じで、違うところは、前記位置決め杭１４に横方向ネジ１７を増設して、人工歯茎及び歯槽骨の固定効果を向上させた点にある、前記横方向ネジの設置は、位置決め杭毎に横方向ネジを一本設置する必要はなく、ネジを三つ或いは五つ設置する方式で固定効果を向上させることができる。
【手続補正２０】
【補正対象書類名】明細書
【補正対象項目名】００３２
【補正方法】変更
【補正の内容】
【００３２】
図４は、本案発明に係る第三実施例であり、主要構造はほぼ前の実施例と同じで、違うところは、前記人口歯茎の位置決め杭１４は、位置決め杭二つをワンセットとして人工歯茎１０の底面に設置し、且つ一本の横方向ネジ１７によって強化固定している点で、しかし第一実施例と同様に使用効能がある。
【手続補正２１】
【補正対象書類名】明細書
【補正対象項目名】００３３
【補正方法】変更
【補正の内容】
【００３３】
図５は、本案発明に係る第四実施例であり、主要構造は第一実施例と似ており、違うところは、前記人口歯茎１０の弧形底面には位置決め杭１４を突起させていず、一本の位置固定用ネジ１４（ネジ型位置決め杭、つまり位置固定用ネジは別形態の位置決め杭である）を位置決め杭として人工歯茎を歯槽骨の頂面に締め付けている点にある。
【手続補正２２】
【補正対象書類名】明細書
【補正対象項目名】００３４
【補正方法】変更
【補正の内容】
【００３４】
図６は、本案発明に係る第五実施例であり、前の実施例と同じである、前記人工歯茎１０は、同様に位置固定用ネジ１４を位置決め杭１４とし、且つ位置固定用ネジ１４二個を一組として前記人工歯茎の両側に設置して固定し、前記人工歯茎を歯槽骨に締め付けている。
【手続補正２３】
【補正対象書類名】明細書
【補正対象項目名】００３９
【補正方法】変更
【補正の内容】
【００３９】
図１０は、本案発明に係る第五及び第四、第七実施例における位置固定用ネジ１４であり、一般のネジ或いは引っ掛け部を有する円形ネジであってもよく、その末端は扁平状を呈し、且つネジ本体に複数の通孔１４１を設けて引っかけ部を形成する。この引っ掛け部を有するネジを取り付ける目的は、人工歯茎１０をネジで締め付ける前に、位置決め穴に骨セメントを注入し、固形化した骨セメントが分解して新骨質に置きかえられるようにするためである。尚、骨セメントを注入せず、骨整合によって新骨質を生成させ、ネジ末端扁平面の両側及び通孔中の固形化した骨セメント或いは新骨質が、引っ掛け部となって前記ネジを引っ掛け、固定作用を起こしてネジが緩んだり、脱落しないようにすることも出来る。